(57)【特許請求の範囲】
【請求項１】
電力回収部、Ｙ電極サステインスイッチング回路、分離回路、Ｙ電極ランプ波形発生回路、スキャンパルス発生回路、プラズマディスプレイパネル、Ｘ電極サステインスイッチング回路、Ｘ電極ランプ波形発生回路を含み、リセット区間、アドレス区間及びサステイン区間を反復的に実行し、プラズマディスプレイパネルを駆動するプラズマディスプレイパネル駆動装置であって、
前記電力回収部は、一端が電圧源に接続され、前記Ｙ電極サステインスイッチング回路、前記Ｘ電極サステインスイッチング回路、前記Ｘ電極ランプ波形発生回路に他端が接続された電源スイッチと、
前記電源スイッチの一端と前記電圧源との接続点と接地間に直列に連結された第１及び第２のキャパシタと、
前記第１のキャパシタと前記第２のキャパシタとの接点と前記電源スイッチの他端との間に接続されたインダクタとを含み、
前記Ｙ電極サステインスイッチング回路は、前記電源スイッチの他端と接地との間に直列に連結された第１及び第２のＹ電極サステインスイッチを含み、
前記Ｘ電極サステインスイッチング回路は、前記電源スイッチの他端と接地との間に直列に連結された第１及び第２のＸ電極サステインスイッチを含み、
前記Ｙ電極ランプ波形発生回路は、前記Ｙ電極サステインスイッチング回路の前記第１のＹ電極サステインスイッチと前記第２のＹ電極サステインスイッチとの接点及び前記スキャンパルス発生回路の入力に連結され、ランプ波形を発生し、
前記Ｘ電極ランプ波形発生回路は、前記Ｘ電極サステインスイッチング回路の前記第１のＸ電極サステインスイッチ及び前記第２のＸ電極サステインスイッチの接点と前記プラズマディスプレイパネルとの接続点と、前記電源スイッチの前記他端との間に接続され、ランプ波形を発生し、
前記分離回路は、前記第１のＹ電極サステインスイッチと前記第２のＹ電極サステインスイッチとの接点と前記スキャンパルス発生回路との間に接続され、前記Ｙ電極サステインスイッチング回路の出力の前記スキャンパルス発生回路への供給を分離する分離スイッチを含み、
前記スキャンパルス発生回路は、第１及び第２のスキャンスイッチを含み、出力端が前記プラズマディスプレイパネルに接続され、前記プラズマディスプレイパネルの水平同期信号印加のための動作を行う構成とされており、
前記サステイン区間は、
前記電源スイッチ、前記第２のＹ電極サステインスイッチ、前記第１のＸ電極サステインスイッチ、前記第１のスキャンスイッチをオフし、前記第１のＹ電極サステインスイッチ、前記第２のＸ電極サステインスイッチ、前記分離スイッチ、前記第２のスキャンスイッチをオンする第１充電モードと、
前記第２のＹ電極サステインスイッチ、前記第１のＸ電極サステインスイッチ、前記第１のスキャンスイッチをオフし、前記電源スイッチ、前記第１のＹ電極サステインスイッチ、前記第２のＸ電極サステインスイッチ、前記分離スイッチ、前記第２のスキャンスイッチをオンする第１ガス放電モードと、
前記電源スイッチ、前記第２のＹ電極サステインスイッチ、前記第１のＸ電極サステインスイッチ、前記第１のスキャンスイッチをオフし、前記第１のＹ電極サステインスイッチ、前記第２のＸ電極サステインスイッチ、前記分離スイッチ、前記第２のスキャンスイッチをオンする第１放電モードと、
前記電源スイッチ、前記第１のスキャンスイッチをオフし、前記第１、第２のＹ電極サステインスイッチ、前記第１及び第２のＸ電極サステインスイッチ、前記分離スイッチ、前記第２のスキャンスイッチをオンする第１接地モードと、
前記電源スイッチ、前記第２のＸ電極サステインスイッチ、前記第１のＹ電極サステインスイッチ、前記第１のスキャンスイッチをオフし、前記第２のＹ電極サステインスイッチ、前記第１のＸ電極サステインスイッチ、前記分離スイッチ、前記第２のスキャンスイッチをオンする第２充電モードと、
前記第１のＹ電極サステインスイッチ、前記第２のＸ電極サステインスイッチ、前記第１のスキャンスイッチをオフし、前記電源スイッチ、前記第２のＹ電極サステインスイッチ、前記第１のＸ電極サステインスイッチ、前記分離スイッチ、前記第２のスキャンスイッチをオンする第２ガス放電モードと、
前記電源スイッチ、前記第１のＹ電極サステインスイッチ、前記第２のＸ電極サステインスイッチ、前記第１のスキャンスイッチをオフし、前記第２のＹ電極サステインスイッチ、前記第１のＸ電極サステインスイッチ、前記分離スイッチ、前記第２のスキャンスイッチをオンする第２放電モードと、
前記電源スイッチ、前記第１のスキャンスイッチをオフし、前記第１、第２のＹ電極サステインスイッチ、前記第１及び第２のＸ電極サステインスイッチ、前記分離スイッチ、前記第２のスキャンスイッチをオンする第２接地モードと
を含み、
前記第１充電モード、前記第１ガス放電モード、前記第１放電モード、前記第１接地モード、前記第２充電モード、前記第２ガス放電モード、前記第２放電モード、及び前記第２接地モードを反復し、
前記サステイン区間が終わり、前記リセット区間が始まる過渡期には、前記第２接地モードの代わりに、前記電源スイッチ、前記第１のＸ電極サステインスイッチ、前記第１のスキャンスイッチをオフし、前記第１、第２のＹ電極サステインスイッチ、前記第２のＸ電極サステインスイッチ、前記分離スイッチ、前記第２のスキャンスイッチをオンする遷移モードを実行する、プラズマディスプレイパネル駆動装置。
【請求項２】
前記第１のキャパシタ及び前記第２のキャパシタのそれぞれに、並列に接続されたダイオードを含むことを特徴とする請求項１に記載の電力回収率を改善したプラズマディスプレイパネル駆動装置。
【請求項３】
電力回収部、Ｙ電極サステインスイッチング回路、分離回路、Ｙ電極ランプ波形発生回路、スキャンパルス発生回路、プラズマディスプレイパネル、Ｘ電極サステインスイッチング回路、Ｘ電極ランプ波形発生回路を含み、リセット区間、アドレス区間及びサステイン区間を反復的に実行し、プラズマディスプレイパネルを駆動するプラズマディスプレイパネル駆動方法であって、
前記電力回収部は、一端が電圧源に接続され、前記Ｙ電極サステインスイッチング回路、前記Ｘ電極サステインスイッチング回路、前記Ｘ電極ランプ波形発生回路に他端が接続された電源スイッチと、
前記電源スイッチの一端と前記電圧源との接続点と接地間に直列に連結された第１及び第２のキャパシタと、
前記第１のキャパシタと前記第２のキャパシタとの接点と前記電源スイッチの他端との間に接続されたインダクタとを含み、
前記Ｙ電極サステインスイッチング回路は、前記電源スイッチの他端と接地との間に直列に連結された第１及び第２のＹ電極サステインスイッチを含み、
前記Ｘ電極サステインスイッチング回路は、前記電源スイッチの他端と接地との間に直列に連結された第１及び第２のＸ電極サステインスイッチを含み、
前記Ｙ電極ランプ波形発生回路は、前記Ｙ電極サステインスイッチング回路の前記第１のＹ電極サステインスイッチと前記第２のＹ電極サステインスイッチとの接点及び前記スキャンパルス発生回路の入力に連結され、ランプ波形を発生し、
前記Ｘ電極ランプ波形発生回路は、前記Ｘ電極サステインスイッチング回路の前記第１のＸ電極サステインスイッチ及び前記第２のＸ電極サステインスイッチの接点と前記プラズマディスプレイパネルとの接続点と、前記電源スイッチの前記他端との間に接続され、ランプ波形を発生し、
前記分離回路は、前記第１のＹ電極サステインスイッチと前記第２のＹ電極サステインスイッチとの接点と前記スキャンパルス発生回路との間に接続され、前記Ｙ電極サステインスイッチング回路の出力の前記スキャンパルス発生回路への供給を分離する分離スイッチを含み、
前記スキャンパルス発生回路は、第１及び第２のスキャンスイッチを含み、出力端が前記プラズマディスプレイパネルに接続され、前記プラズマディスプレイパネルの水平同期信号印加のための動作を行う構成とされており、
前記サステイン区間は、
前記電源スイッチ、前記第２のＹ電極サステインスイッチ、前記第１のＸ電極サステインスイッチ、前記第１のスキャンスイッチをオフし、前記第１のＹ電極サステインスイッチ、前記第２のＸ電極サステインスイッチ、前記分離スイッチ、前記第２のスキャンスイッチをオンする第１充電モードと、
前記第２のＹ電極サステインスイッチ、前記第１のＸ電極サステインスイッチ、前記第１のスキャンスイッチをオフし、前記電源スイッチ、前記第１のＹ電極サステインスイッチ、前記第２のＸ電極サステインスイッチ、前記分離スイッチ、前記第２のスキャンスイッチをオンする第１ガス放電モードと、
前記電源スイッチ、前記第２のＹ電極サステインスイッチ、前記第１のＸ電極サステインスイッチ、前記第１のスキャンスイッチをオフし、前記第１のＹ電極サステインスイッチ、前記第２のＸ電極サステインスイッチ、前記分離スイッチ、前記第２のスキャンスイッチをオンする第１放電モードと、
前記電源スイッチ、前記第１のスキャンスイッチをオフし、前記第１、第２のＹ電極サステインスイッチ、前記第１及び第２のＸ電極サステインスイッチ、前記分離スイッチ、前記第２のスキャンスイッチをオンする第１接地モードと、
前記電源スイッチ、前記第２のＸ電極サステインスイッチ、前記第１のＹ電極サステインスイッチ、前記第１のスキャンスイッチをオフし、前記第２のＹ電極サステインスイッチ、前記第１のＸ電極サステインスイッチ、前記分離スイッチ、前記第２のスキャンスイッチをオンする第２充電モードと、
前記第１のＹ電極サステインスイッチ、前記第２のＸ電極サステインスイッチ、前記第１のスキャンスイッチをオフし、前記電源スイッチ、前記第２のＹ電極サステインスイッチ、前記第１のＸ電極サステインスイッチ、前記分離スイッチ、前記第２のスキャンスイッチをオンする第２ガス放電モードと、
前記電源スイッチ、前記第１のＹ電極サステインスイッチ、前記第２のＸ電極サステインスイッチ、前記第１のスキャンスイッチをオフし、前記第２のＹ電極サステインスイッチ、前記第１のＸ電極サステインスイッチ、前記分離スイッチ、前記第２のスキャンスイッチをオンする第２放電モードと、
前記電源スイッチ、前記第１のスキャンスイッチをオフし、前記第１、第２のＹ電極サステインスイッチ、前記第１及び第２のＸ電極サステインスイッチ、前記分離スイッチ、前記第２のスキャンスイッチをオンする第２接地モードと
を含み、
前記第１充電モード、前記第１ガス放電モード、前記第１放電モード、前記第１接地モード、前記第２充電モード、前記第２ガス放電モード、前記第２放電モード、及び前記第２接地モードを反復し、
前記サステイン区間が終わり、前記リセット区間が始まる過渡期には、前記第２接地モードモードの代わりに、前記電源スイッチ、前記第１のＸ電極サステインスイッチ、前記第１のスキャンスイッチをオフし、前記第１、第２のＹ電極サステインスイッチ、前記第２のＸ電極サステインスイッチ、前記分離スイッチ、前記第２のスキャンスイッチをオンする遷移モードを実行する、プラズマディスプレイパネル駆動方法。
【発明の詳細な説明】
【０００１】
【発明の属する技術分野】
本発明はプラズマディスプレイパネル駆動装置及び方法に係り、特にプラズマディスプレイパネル発光及び消費電力に寄与するサステイン回路を簡略化させ、電力回収率を向上させるためのプラズマディスプレイパネル駆動装置及び方法に関する。
【０００２】
【従来の技術】
一般的にプラズマディスプレイパネル（ＰＤＰ）は気体放電により生成されたプラズマを利用して文字または映像を表示する次世代平板ディスプレイ装置であり、ＰＤＰは大きさにより数十から数百万以上のピクセルがマトリックス状に配列されている。
【０００３】
図１は従来の技術によるＰＤＰ駆動回路である。
【０００４】
従来の技術によれば、ＰＤＰの画像具現のためにＡＤＳ（Ａｄｄｒｅｓｓ Ｄｉｓｐｌａｙ Ｓｅｐａｒａｔｉｏｎ）方式に基づいてスイッチング動作が決まる。図１のスイッチＹｓ，Ｙｇ，Ｘｓ，ＸｇはＰＤＰの発光期間にパネルに高周波の交流方形波電圧を印加するためのサステインスイッチであり、発光期間中（Ｙｓ，Ｘｇ）に、（Ｘｓ，Ｙｇ）のスイッチ対として交代でオン／オフを反復する。スイッチＹｒ，Ｙｆ，Ｘｒ，Ｘｆは発光期間にパネル電圧及びキャパシタ無効電流の急激な変化を防止して消費電力を抑制するための電力回収回路のスイッチである。ＬＹ，ＬＸは電力回収のためのインダクタであり、キャパシタＣ＿Ｙｅｒｃ，Ｃ＿Ｘｅｒｃ、ダイオードＤ＿Ｙｒ，Ｄ＿Ｘｆ，Ｄ＿Ｘｒ，Ｄ＿Ｘｆ，Ｄ＿ＹＶｓＣ，Ｄ＿ＹＧＣはウェッバなどにより提案された既存の電力回収回路に必要な要素である。一般的に、サステインスイッチ、電力回収スイッチ、そして受動素子が形成する回路網を「サステイン」回路と言い、ＡＤＳ方式によれば、サステイン回路はＰＤＰのサステイン区間に作用する。スイッチＹｐはＡＤＳ方式にてＰＤＰのサステイン区間と他の区間（アドレス区間とリセット区間）との回路動作分離のためのスイッチであり、スイッチＹｒｒ，Ｙｆｒ，Ｘｒｒはリセット区間にパネルにランプ型高圧電圧を印加するためのスイッチであり、Ｃｓｅｔ，Ｃ＿Ｘｓｉｎｋのキャパシタと共に作用して電源電圧より高い高圧電圧をリセット区間に印加する。スイッチＹｓｃ，ＹｓｐはＡＤＳ方式にてアドレス区間に作動するスイッチであり、アドレス区間でＹｓｐはオン、Ｙｓｃはオフ、他の区間（リセット、サステイン区間）でＹｓｐはオフ、Ｙｓｃはオンされる。アドレス区間にシフトレジスタ及び電圧バッファより構成されたスキャンドライバＩＣ １００がＰＤＰスクリーンの水平同期信号印加のための動作を果たし、他の区間ではショートする。スイッチング順序による既存ＰＤＰ駆動回路の具体的な動作は米国特許第ＵＳ４，８６６，３４９号公報に開示されている。
【０００５】
このような従来の技術によるＰＤＰ駆動回路において直接的にパネル発光及び消費電力に寄与する既存のサステイン回路はスイッチ素子数及び受動素子の数が多いため、消費電力が大きいなどの問題点があった。
【０００６】
【発明が解決しようとする課題】
本発明がなそうとする技術的課題は前述の問題点を解決するためにＰＤＰ駆動回路の素子数を減らし、無効電力を減らすための電力回収率を改善したＰＤＰ駆動装置及び方法を提供するところにある。
【０００７】
【課題を解決するための手段】
本発明では、従来の技術の問題点を解決するために、電力回収部（１０）、Ｙ電極サステインスイッチング回路（２０）、分離回路（３０）、Ｙ電極ランプ波形発生回路（４０）、スキャンパルス発生回路（５０）、プラズマディスプレイパネル（６０）、Ｘ電極サステインスイッチング回路（７０）、Ｘ電極ランプ波形発生回路（８０）を含み、リセット区間、アドレス区間及びサステイン区間を反復的に実行し、プラズマディスプレイパネルを駆動するプラズマディスプレイパネル駆動装置であって、前記電力回収部（１０）は、一端が電圧源に接続され、前記Ｙ電極サステインスイッチング回路（２０）、前記Ｘ電極サステインスイッチング回路（７０）、前記Ｘ電極ランプ波形発生回路（８０）に他端が接続された電源スイッチ（Ｓａ）と、前記電源スイッチ（Ｓａ）の一端と前記電圧源（Ｖｓ）との接続点と接地間に直列に連結された第１及び第２のキャパシタ（Ｃ１、Ｃ２）と、前記第１のキャパシタ（Ｃ１）と前記第２のキャパシタ（Ｃ２）との接点と前記電源スイッチ（Ｓａ）の他端との間に接続されたインダクタ（Ｌ）とを含み、前記Ｙ電極サステインスイッチング回路（２０）は、前記電源スイッチ（Ｓａ）の他端と接地との間に直列に連結された第１及び第２のＹ電極サステインスイッチ（Ｙｓ、Ｙｇ）を含み、前記Ｘ電極サステインスイッチング回路（７０）は、前記電源スイッチ（Ｓａ）の他端と接地との間に直列に連結された第１及び第２のＸ電極サステインスイッチ（Ｘｓ、Ｘｇ）を含み、前記Ｙ電極ランプ波形発生回路（４０）は、前記Ｙ電極サステインスイッチング回路（２０）の前記第１のＹ電極サステインスイッチ（Ｙｓ）と前記第２のＹ電極サステインスイッチ（Ｙｇ）との接点及び前記スキャンパルス発生回路（５０）の入力に連結され、ランプ波形を発生し、前記Ｘ電極ランプ波形発生回路（８０）は、前記Ｘ電極サステインスイッチング回路（７０）の前記第１のＸ電極サステインスイッチ（Ｘｓ）及び前記第２のＸ電極サステインスイッチ（Ｘｇ）との接点と前記プラズマディスプレイパネル（６０）との接続点と、前記電源スイッチ（Ｓａ）の前記他端との間に接続され、ランプ波形を発生し、前記分離回路（３０）は、前記第１のＹ電極サステインスイッチ（Ｙｓ）と前記第２のＹ電極サステインスイッチ（Ｙｇ）との接点と前記スキャンパルス発生回路（５０）との間に接続され、前記Ｙ電極サステインスイッチング回路（２０）の出力の前記スキャンパルス発生回路（５０）への供給を分離する分離スイッチ（Ｙｐ）を含み、前記スキャンパルス発生回路（５０）は、第１及び第２のスキャンスイッチ（Ｙｓｃ、Ｙｓｐ）を含み、出力端が前記プラズマディスプレイパネルに接続され、前記プラズマディスプレイパネル（６０）の水平同期信号印加のための動作を行う構成とされており、前記サステイン区間は、前記電源スイッチ（Ｓａ）、前記第２のＹ電極サステインスイッチ（Ｙｇ）、前記第１のＸ電極サステインスイッチ（Ｘｓ）、前記第１のスキャンスイッチ（Ｙｓｃ）をオフし、前記第１のＹ電極サステインスイッチ（Ｙｓ）、前記第２のＸ電極サステインスイッチ（Ｘｇ）、前記分離スイッチ（Ｙｐ）、前記第２のスキャンスイッチ（Ｙｓｐ）をオンする第１充電モードと、前記第２のＹ電極サステインスイッチ（Ｙｇ）、前記第２のＸ電極サステインスイッチ（Ｘｇ）、前記第１のスキャンスイッチ（Ｙｓｃ）をオフし、前記電源スイッチ（Ｓａ）、前記第１のＹ電極サステインスイッチ（Ｙｓ）、前記第２のＸ電極サステインスイッチ（Ｘｇ）、前記分離スイッチ（Ｙｐ）、前記第２のスキャンスイッチ（Ｙｓｐ）をオンする第１ガス放電モードと、
前記電源スイッチ（Ｓａ）、前記第２のＹ電極サステインスイッチ（Ｙｇ）、前記第１のＸ電極サステインスイッチ（Ｘｓ）、前記第１のスキャンスイッチ（Ｙｓｐ）をオフし、前記第１のＹ電極サステインスイッチ（Ｙｓ）、前記第２のＸ電極サステインスイッチ（Ｘｇ）、前記分離スイッチ（Ｙｐ）、前記第２のスキャンスイッチ（Ｙｓｐ）をオンする第１放電モードと、前記電源スイッチ（Ｓａ）、前記第１のスキャンスイッチ（Ｙｓｃ）をオフし、前記第１、第２のＹ電極サステインスイッチ（Ｙｓ、Ｙｇ）、前記第１及び第２のＸ電極サステインスイッチ（Ｘｓ、Ｘｇ）、前記分離スイッチ（Ｙｐ）、前記第２のスキャンスイッチ（Ｙｓｐ）をオンする第１接地モードと、前記電源スイッチ（Ｓａ）、前記第２のＸ電極サステインスイッチ（Ｘｇ）、前記第１のＹ電極サステインスイッチ（Ｙｓ）、前記第１のスキャンスイッチ（Ｙｓｃ）をオフし、前記第２のＹ電極サステインスイッチ（Ｙｇ）、前記第１のＸ電極サステインスイッチ（Ｘｓ）、前記分離スイッチ（Ｙｐ）、前記第２のスキャンスイッチ（Ｙｓｐ）をオンする第２充電モードと、前記第１のＹ電極サステインスイッチ（Ｙｓ）、前記第２のＸ電極サステインスイッチ（Ｘｇ）、前記第１のスキャンスイッチ（Ｙｓｃ）をオフし、前記電源スイッチ（Ｓａ）、前記第２のＹ電極サステインスイッチ（Ｙｇ）、前記第２のＸ電極サステインスイッチ（Ｘｇ）、前記分離スイッチ（Ｙｐ）、前記第２のスキャンスイッチ（Ｙｓｐ）をオンする第２ガス放電モードと、前記電源スイッチ（Ｓａ）、前記第１のＹ電極サステインスイッチ（Ｙｓ）、前記第２のＸ電極サステインスイッチ（Ｘｇ）、前記第１のスキャンスイッチ（Ｙｓｃ）をオフし、前記第２のＹ電極サステインスイッチ（Ｙｇ）、前記第１のＸ電極サステインスイッチ（Ｘｓ）、前記分離スイッチ（Ｙｐ）、前記第２のスキャンスイッチ（Ｙｓｐ）をオンする第２放電モードと、前記電源スイッチ（Ｓａ）、前記第１のスキャンスイッチ（Ｙｓｃ）をオフし、前記第１、第２のＹ電極サステインスイッチ（Ｙｓ、Ｙｇ）、前記第１及び第２のＸ電極サステインスイッチ（Ｘｓ、Ｘｇ）、前記分離スイッチ（Ｙｐ）、前記第２のスキャンスイッチ（Ｙｓｐ）をオンする第２接地モードとを含み、前記第１充電モード、前記第１ガス放電モード、前記第１放電モード、前記第１接地モード、前記第２充電モード、前記第２ガス放電モード、前記第２放電モード、及び前記第２接地モードを反復し、前記サステイン区間が終わり、前記リセット区間が始まる過渡期には、前記第２接地モードモードの代わりに、前記電源スイッチ（Ｓａ）、前記第１のＸ電極サステインスイッチ（Ｘｓ）、前記第１のスキャンスイッチ（Ｙｓｐ）をオフし、前記第１、第２のＹ電極サステインスイッチ（Ｙｓ、Ｙｇ）、前記第２のＸ電極サステインスイッチ（Ｘｇ）、前記分離スイッチ（Ｙｐ）、前記第２のスキャンスイッチ（Ｙｓｐ）をオンする遷移モードを実行する。
【０００９】
【発明の実施の形態】
図３に示されたように、本発明の第１実施形態による電力回収率を改善したＰＤＰ駆動装置は、電力回収部１０、Ｙ電極サステインスイッチング回路２０、分離回路３０、Ｙ電極ランプ波形発生回路４０、スキャンパルス発生回路５０、ＰＤＰ ６Ｏ（Ｃｐ）、Ｘ電極サステインスイッチング回路７０及びＸ電極ランプ波形発生回路８０を備える。
【００１０】
電力回収部１０はＰＤＰの発光期間に外部電圧源Ｖｓを印加するためのスイッチＳａ、外部電圧源Ｖｓと接地間に直列に連結されたキャパシタＣ１，Ｃ２及びキャパシタＣ１及びＣ２間の接点とスイッチＳａの出力端子に接続されたインダクタＬ、キャパシタＣ１及びＣ２にそれぞれ並列にダイオードＤ１，Ｄ２を接続する回路構成よりなる。
【００１１】
Ｙ電極サステインスイッチング回路２０及びＸ電極サステイン回路７０はＰＤＰ発光期間にパネルＣｐに高周波の交流方形波電圧を印加するための複数のスイッチＹｓ，Ｙｇ，Ｘｓ，Ｘｇにより構成されている。
【００１２】
分離回路３０はＡＤＳ方式によりＰＤＰ ６０のサステイン区間と他の区間（アドレス区間とリセット区間）との回路動作分離のためのスイッチである。
【００１３】
Ｙ電極ランプ波形発生回路４０及びＸ電極ランプ波形発生回路８０はリセット区間パネルにランプ型高圧電圧を発生させるための回路である。
【００１４】
スキャンパルス発生回路５０はアドレス区間にシフトレジスタ及び電圧バッファより構成されたスキャンドライバＩＣ ５０ａがＰＤＰスクリーンの水平同期信号印加のための動作を行い、他の区間ではショートする。
【００１５】
上の回路に含まれた各種スイッチは一実施形態としてＭＯＳＦＥＴより構成する。
【００１６】
本発明によるＰＤＰ駆動方法の核心的な内容は、ＰＤＰ駆動回路の既存のサステイン回路はスイッチ素子数及び受動素子の数を減らしたところにある。
【００１７】
ＰＤＰ ６０の駆動スイッチングシーケンスはリセット区間、アドレス区間及びサステイン区間を反復的に実行するのであるが、本発明において提案された電力回収を改善したサステイン区間のスイッチングシーケンスを細部的なモードに分けて説明する。
【００１８】
１）モード１（サステイン区間中の充電モード；Ｖ＿Ｙ；０→Ｖｓ，Ｖ＿Ｘ＝０，ｔｉｍｅ  ｉｎｔｅｒｖａｌ＝Ｔｒ）
モード１ではスイッチＹｓ，Ｘｇ、Ｙｓｐはオンになり、その他のスイッチはオフになり、スキャンパルス発生回路５０のスキャンドライバＩＣ  ５０ａは短絡されている。従って、ＰＤＰ  ６０のＸ電極電圧Ｖ＿Ｘは接地状態を保持し、Ｙ電極電圧Ｖ＿ＹはＶｓに遷移される。すなわち、インダクタＬに流れていた最大瞬時インダクタ電流ＩＬ，ＰＫによりＰＤＰ  ６０（Ｃｐ）はＣ２−Ｌ−Ｙｓ−Ｙｐ−Ｙｓｐ−Ｃｐ−Ｘｇの経路で充電が始まり、Ｖ＿Ｙ電圧は上昇する。Ｖ＿Ｙ電圧がＶｓになればパネルは充電が終わる。タイムインターバルＴｒは一般的に３００ｎｓ−５００ｎｓになるべく設計する。
【００１９】
２）モード２（サステイン区間中のガス放電モード；Ｖ＿Ｙ＝Ｖｓ，Ｖ＿Ｘ＝０，ｔｉｍｅ  ｉｎｔｅｒｖａｌ＝Ｔｓｕｓ）
モード２では、スイッチＳａがターンオンし、パネルのＹ電極電圧のＶ＿Ｙ電圧がＶｓになる。この時、スイッチＳａは、ターンオンすれば、スイッチＳａはゼロ電圧スイッチング動作をしてスイッチング損失はゼロになる。経路Ｓａ−Ｙｓ−Ｃｐ−Ｘｇを通じてパネルは発光を保持し、経路Ｃ１−Ｌ−Ｓａを経てインダクタ電流ＩＬは減少する。インダクタ電流は−ＩＬ，ＰＫになり、スイッチＳａがオフさればモード２は終わる。タイムインターバルＴｓｕｓは一般的に、１．６μｓ−２．０μｓほどに設計し、すぐにスイッチＳａのオン時間になる。
【００２０】
３）モード３（サステイン区間中の放電区間；Ｖ＿Ｙ＝Ｖｓ→０，Ｖ＿Ｘ＝０，ｔｉｍｅ  ｉｎｔｅｒｖａｌ＝Ｔｆ）
モード３ではスイッチＳａがターンオフされ、インダクタＬに流れる瞬時最大電流−ＩＬ，ＰＫによりパネルはＸｇ−Ｃｐ−Ｙｓｐ−Ｙｐ−Ｙｓ−Ｌ−Ｃ２の経路を経て放電が始まり、Ｖ＿Ｙ電圧は降下する。Ｖ＿Ｙ電圧がゼロになればパネル放電は終わる。Ｔｆは一般的に、３００ｎｓ−５００ｎｓになるようにし、一般的にＴｒと同じである。
【００２１】
４）モード４（サステイン区間中の接地モード；Ｖ＿Ｙ＝０，Ｖ＿Ｘ＝０，ｔｉｍｅ  ｉｎｔｅｒｖａｌ＝Ｔｇｎｄ）
モード４では、スイッチＹｇとＸｓとがターンオンすることにより、Ｖ＿Ｙが０になる。この区間においてスイッチＹｇとＸｓとは、ゼロ電圧スイッチング動作を行い、スイッチング損失はゼロになる。経路Ｘｇ−Ｃｐ−Ｙｇを通じてパネルはゼロ電圧状態を保持し、経路Ｃ２−Ｌ−Ｙｓ−Ｙｇ，及び、Ｃ２−Ｌ−Ｘｓ−Ｘｇを経てインダクタ電流ＩＬは増加し、＋ＩＬ，ＰＫになる。スイッチＹｓとＸｇがターンオフされればこのモードは終わる。Ｔｇｎｄは一般的に、３００ｎｓ−５００ｎｓにする。
【００２２】
５）モード５（サステイン区間中の充電モード；Ｖ＿Ｙ＝０，Ｖ＿Ｘ＝０→Ｖｓ，ｔｉｍｅ ｉｎｔｅｒｖａｌ＝Ｔｒ）
モード５ではスイッチＸｓ，Ｙｇ、Ｙｐ、Ｙｓｐはオンになり、他のスイッチはオフされる。スキャンドライバＩＣ ５０ａは短絡されている。インダクタＬに流れていた最大瞬時インダクタ電流ＩＬ，ＰＫによりパネルＣｐはＣ２−Ｌ−Ｘｓ−Ｃｐ−Ｙｓｐ−Ｙｐ−Ｙｇの経路で充電が始まり、Ｖ＿Ｘ電圧は上昇する。Ｖ＿Ｘ電圧がＶｓになれば、パネル充電は終わる。
【００２３】
６）モード６（サステイン区間中のガス放電モード；Ｖ＿Ｙ＝０，Ｖ＿Ｘ＝Ｖｓ，ｔｉｍｅ  ｉｎｔｅｒｖａｌ＝Ｔｓｕｓ）
この区間では、スイッチＳａがターンオンし、パネルのＸ電極電圧のＶ＿Ｘ電圧がＶｓになる。この時、スイッチＳａは、ゼロ電圧スイッチング動作を行ってスイッチング損失はゼロになる。経路Ｓａ−Ｘｓ−Ｃｐ−Ｙｇを通じてパネルは発光を保持し、経路Ｃ１−Ｌ−Ｓａを経てインダクタ電流ＩＬは減少する。インダクタ電流は−ＩＬ，ＰＫになり、スイッチＳａがオフされればモード６は終わる。
【００２４】
７）モード７（サステイン区間中の放電モード；Ｖ＿Ｙ＝０，Ｖ＿Ｘ＝Ｖｓ→０，ｔｉｍｅ  ｉｎｔｅｒｖａｌ＝Ｔｆ）
この区間ではスイッチＳａがターンオフされ、パネルは、Ｃ２−Ｌ−Ｘｓ−Ｃｐ−５０ａ−Ｙｓｐ−Ｙｐ−Ｙｇの経路を通して、放電が始まり、Ｖ＿Ｘ電圧は降下する。Ｖ＿Ｘ電圧がゼロになればパネル放電は終わる。
【００２５】
８）モード８−ａ（サステイン区間中のＧＮＤモード；Ｖ＿Ｙ＝０，Ｖ＿Ｘ＝０，ｔｉｍｅ  ｉｎｔｅｒｖａｌ＝Ｔｇｎｄ）
この区間では、スイッチＹｓとＸｇとがターンオンし、Ｖ＿Ｙが０になる。この区間において、ＹｓとＸｇとはゼロ電圧スイッチング動作を行い、スイッチング損失はゼロになる。経路Ｘｇ−Ｃｐ−Ｙｇを通じてパネルはゼロ電圧状態を保持し、経路Ｃ２−Ｌ−Ｙｓ−Ｙｇ，及び、Ｃ２−Ｌ−Ｘｓ−Ｘｇを経てインダクタ電流ＩＬは増加し、＋ＩＬ，ＰＫになる。
【００２６】
さて、サステイン区間において無効電力を解釈すれば次の通りである。
【００２７】
サステイン区間において、Ｃ１とＣ２との両端にかかる電圧Ｖｃ１，Ｖｃ２はそれぞれ式（１）及び式（２）の通りである。
【００２８】
【数５】
0004567277.tif 000002
【００２９】
【数６】
0004567277.tif 000003
なお、インダクタの最大瞬時電流ＩＬ，ＰＫは式（３）の通りである。
【００３０】
【数７】
0004567277.tif 000004
一般的に、ＰＤＰにおいてＴｓｕｓがＴｇｎｄよりかなり大きいので、Ｖｃ２はほとんどＶｓに近く、Ｖｃ１はほとんど０になる。
【００３２】
ＰＤＰが直接発光に寄与するサステイン区間ではモード１からモード８−ａまでの動作を反復してパネルの高周波電圧パルスを生じる。パルス数はＡＤＳ法のサブ−フィールド（ＳＦ）により２つから１２８個まで変わりうる。サステイン区間が終わり、リセットが始まる過渡期にはモード８−ａの代わりに次に説明するモード８−ｂになる。
【００３３】
９）モード８−ｂ（サステイン−リセット区間遷移モード；パネルゼロ電圧保持；Ｖ＿Ｙ＝０，Ｖ＿Ｘ＝０，ｔｉｍｅ  ｉｎｔｅｒｖａｌ＝Ｔｇｎｄ＿ＳＲ）
この区間では、スイッチＹｇはターンオンされ、Ｖ＿Ｙが０になる。この時、スイッチＹｇのターンオンは、モード８−ａのＴｇｎｄ区間の半分より短い瞬間に起こらせる。インダクタ電流ＩＬは０になり、この時までの時間はおよそＴｇｎｄ／２となる。この後でＩＬは０になり、パネルは０電圧を保持する。
【００３４】
１０）モード９（サステイン−リセット区間遷移モード；パネルゼロ電圧保持；Ｖ＿Ｙ＝０，Ｖ＿Ｘ＝０，ｔｉｍｅ  ｉｎｔｅｒｖａｌ＝Ｔ９）
この区間ではスイッチＳａはターンオンされ、Ｙｓはターンオフされる。この区間においてパネル電圧は変更がなく０になり、ＩＬとＶｃ１とはそれぞれ増加、減少する。
【００３６】
Ｘ＿ＲＡＭＰがオンすればモード９は終わる。
【００３７】
１１）モード１０（サステイン−リセット区間遷移モード；パネル電圧徐々に上昇；Ｖ＿Ｙ＝０，Ｖ＿Ｘ＝０→増加，ｔｉｍｅ ｉｎｔｅｒｖａｌ＝Ｔ１０）この区間は厳密に言えばＰＤＰのリセット区間であり、スイッチＸ＿ｒａｍｐがオンしてＸ極電圧が徐々に上昇する。ただし、インダクタ電流ＩＬとＶｃ１とがモード９のように同一になってＩＬが最大値に達すば（Ｖｃ１が０になれば）、モード１０は終わる。Ｔ９とＴ１０とは式（６）のように示される。
【００３８】
【数１１】
0004567277.tif 000005
本発明による回路において、Ｃ１及びＣ２のキャパシタ値はＩＬの最大値がサステイン区間のインダクタ最大瞬時値より小さいか同じように設計する。
【００３９】
１２）モード１１（サステイン−リセット区間遷移モード：ＩＬ減少）
Ｖｃ１が０になれば、ダイオードＤ１がオフし、ＩＬは減少する。ＩＬが０になればモード１１が終わる。この後、Ｖｃ１は０になり、Ｖｃ２はＶｓとなる。
【００４０】
この後、リセット区間とアドレス区間との説明は従来技術によるＡＤＳ駆動法と同一なので省略する。同じ区間はサステイン区間の最初のパルス（Ｖ＿Ｙ＝Ｖｓ，Ｖ＿Ｘ＝０）まで続き、このパルスが終わる時から詳細な動作説明をすれば次の通りである。
【００４１】
１３）モード１２（サステイン区間：パネルゼロ電圧：ＩＬ：０→ＩＬ，ＰＫ増加）
サステインの最初のパルスが終われば、スイッチＳａをターンオフし、スイッチＹｓとＹｇとをターンオンする。経路Ｃ２−Ｌ−Ｙｓ−Ｙｇを経てＩＬとＶｃ２とは式（７），（８）の通りである。
【００４２】
【数１２】
0004567277.tif 000006
【００４３】
【数１３】
0004567277.tif 000007
ＩＬ（ｔ）がＩＬ，ＰＫになる瞬間、スイッチＹｇをターンオフすればモード１２が終わり、モード１動作を反復する。この時に必要なモード１２の期間Ｔ１２は式（９）のようである。
【００４４】
【数１４】
0004567277.tif 000008
実際に、ＰＤＰ駆動時モード１２の期間Ｔ１２が上式を満足すべくタイミングを付与すればよい。
【００４５】
本発明と従来技術とによる４２インチＰＤＰ駆動装置での無効電力及び各種パラメータの比較を表１に示す。
【００４６】
図５は本発明の第２実施形態による電力回収率を改善したＰＤＰ駆動装置の構成図であり、共通電極ドライブボード２００とスキャン電極ドライブボード１００とよりなることを特徴とする。
【００４７】
共通電極ドライブボード２００にはＸ電極サステインスイッチＸｓ，Ｘｇ、Ｘ電極ランプ波形発生回路Ｘｒｒ，Ｄｓ，Ｒｓ及びランプ信号発生回路及び電力回収部Ｌ，Ｓａ，Ｃ１，Ｃ２が内蔵され、スキャン電極ドライブボード１００にはＹ電極サステインスイッチＹｓ，Ｙｇ、Ｙ電極ランプ波形発生回路Ｙｆｒ，Ｙｒｒ，Ｃｓｅｔ，Ｄｓｅｔ，Ｒｓｅｔ及びランプ信号発生回路、分離回路Ｙｐ及びスキャンパルス発生回路１００ａ，Ｙｓｃ，Ｙｓｐ，Ｄ＿Ｙｓｉｎｋ，Ｒｓｃ，Ｄｓｃ，Ｃ＿Ｙｓｉｎｋが内蔵される。
【００４８】
そして、共通電極ドライブボード２００とスキャン電極ドライブボード１００とはＰＤＰ３００のＸ電極端子及びＹ電極端子にそれぞれ連結されており、またＰＤＰ３００のアドレス端子にはアドレスドライブＩＣ ４００が連結されている。
【００４９】
ＰＤＰ駆動動作及びスイッチングシーケンスは図３に示された回路構成による説明と同一なので細部的な動作説明は省略する。
【００５０】
ただし、電力回収回路を図３の実施形態ではＹ電極ドライブ回路ブロックに配したが、図５の他の実施形態ではＸ電極ドライブ回路ブロックに設けたという点で異なり、他の構成及び動作においては同一である。
【００５１】
すなわち、図５の実施形態でも図３ですでに説明したような方法でＰＤＰ３００充放電時に電力回収部Ｌ，Ｓａ，Ｃ１，Ｃ２のインダクタＬ電流を増加させる過渡期を最小化させるように回路構成及びスイッチングシーケンスを設計して無効電力をほとんど０に保持する。このために、本発明ではＰＤＰ３００の充放電遷移時点にＰＤＰ ３００にインダクタＬの最大瞬時電流が流れるべく設計した。
【００５２】
【発明の効果】
前述のように、本発明によればＰＤＰ充放電時に電力回収回路のインダクタ電流を増加させる過渡期を最小化させるように回路構成及びスイッチングシーケンスを設計することにより、無効電力の回収率を向上させられる効果が生じ、スイッチング損失が０になるようにしてＥＭＩを減らせる効果が生じ、それのみでなく従来のＰＤＰ駆動回路に比べて回路素子数を減らせる効果が生じる。
【００５３】
本発明は方法、装置、システムとして実行できる。ソフトウェアで実行される時、本発明の構成手段は必然的に必要な作業を実行するコードセグメントである。プログラムまたはコードセグメントはプロセッサ判読可能媒体に貯蔵可能であり、または伝送媒体または通信網にて搬送波と結びついたコンピュータデータ信号により伝送されうる。プロセッサ判読可能媒体は情報を貯蔵または伝送できるいかなる媒体をも含む。プロセッサ判読可能媒体の例としては、電子回路、半導体メモリ素子、ＲＯＭ、フラッシュメモリ、Ｅ２ＰＲＯＭ、フロッピー（登録商標）ディスク、光ディスク、ハードディスク、光ファイバ媒体、無線周波数（ＲＦ）網などがある。コンピュータデータ信号は電子網チャンネル、光ファイバ、空気、電子系、ＲＦ網などのような伝送上で伝播できるいかなる信号も含まれる。
【００５４】
添付された図に示されて説明された特定の実施形態は、単に本発明の例と理解され、本発明の範囲を限定するものではなく、本発明が属する技術分野で本発明に記述された技術的思想の範囲でも多様な他の変更ができるので、本発明は示された特定の構成及び配列に制限されないことは自明である。
【図面の簡単な説明】
【図１】従来の技術によるＰＤＰ駆動装置の構成図である。
【図２】図１のＰＤＰ駆動装置に適用される駆動波形図である。
【図３】本発明の第１実施形態による電力回収率を改善したＰＤＰ駆動装置の構成図である。
【図４】本発明に適用されるＰＤＰ駆動スイッチングシーケンスの主要波形図である。
【図５】本発明の第２実施形態による電力回収率を改善したＰＤＰ駆動装置の構成図である。
【符号の説明】
１０    電力回収部
２０    Ｙ電極サステインスイッチング回路
３０    分離回路
４０    Ｙ電極ランプ波形発生回路
５０    スキャンパルス発生回路
５０ａ  スキャンドライバＩＣ
６０    ＰＤＰ
７０    Ｘ電極サステインスイッチング回路
８０    Ｘ電極ランプ波形発生回路
【図１】
0004567277.tif 000009
【図２】
0004567277.tif 000010
【図３】
0004567277.tif 000011
【図４】
0004567277.tif 000012
【図５】
0004567277.tif 000013